(57)【要約】  【課題】  従来の布製生理用ナプキンの特長を生かしつつ、位置ずれや経血漏れを防止した布製生理用ナプキンを提供する。  【解決手段】  ショーツに取り付けるための羽根を左右に有する外布、及び、前後両端で外布に固定された内布から成る二重構造を有するナプキンホルダと、該内布に巻き付けるための羽根を左右に有する中パッドと、から成るものとする。中パッドの羽根は、縫い付け等により中パッドに固定しておいてもよいが、中パッドに対して取り付け・取り外し可能としておくことが望ましい。中パッドがそのほぼ中央においてナプキンホルダに固定されるため、使用中の中パッドのズレが防止される。これは、経血の漏れを防止すると共に、ズレによる使用者の不快感を防止する効果を奏する。【選択図】  図３
2006068136.tif 000002
【特許請求の範囲】
【請求項１】
ショーツに取り付けるための羽根を左右に有する外布、及び、前後両端で外布に固定された内布から成る二重構造を有するナプキンホルダと、
該内布に巻き付けるための羽根を左右に有する中パッドと、
からなることを特徴とする布製生理用ナプキン。
【請求項２】
ナプキンホルダの内布が外布の全長よりも僅かに短く設定されていることを特徴とする請求項１に記載の布製生理用ナプキン。
【請求項３】
ナプキンホルダの内布の前後長が外布よりも短く、内布が外布の略中央部に固定されていることを特徴とする請求項１に記載の布製生理用ナプキン。
【請求項４】
外布の羽根が外布に対して取り付け・取り外し可能となっていることを特徴とする請求項１〜３のいずれかに記載の布製生理用ナプキン用
【請求項５】
中パッドの羽根が中パッドに対して取り付け・取り外し可能となっていることを特徴とする請求項１〜４のいずれかに記載の布製生理用ナプキン。
【請求項６】
請求項１〜５のいずれかに記載の布製生理用ナプキン用のナプキンホルダ。
【発明の詳細な説明】
【技術分野】
【０００１】
本発明は、布製生理用ナプキンに関する。
【背景技術】
【０００２】
従来、生理用ナプキンとしては、吸水性樹脂を使用した使い捨てタイプのナプキンが多く使われてきた。しかし、使用者によっては使い捨てタイプのナプキンを使用するとその素材により身体との接触部に かぶれ や かゆみ が生じること、また、使用済みナプキンが環境に負荷を与える点などが考慮され、近年、布製生理用ナプキンが見直され、その使用が徐々に広まりつつある。布製生理用ナプキンは、携帯時にかさばる、使用毎に洗濯を必要とする等の欠点がある一方、逆に、洗濯すれば再利用が可能であり、布特有の暖かみがある、局部が蒸れたりかぶれたりすることが少ない、必要時の買い置き忘れがない等の利点がある。
【０００３】
このような長所を有する布製生理用ナプキンについては、従来から長時間の使用による経血漏れを防止するため様々な工夫がなされている。特許文献１には、図１に示すように、短形の本体１１と中あて１２を縫い合わせてなる単純な形態の布製生理用ナプキン１０が開示されている。これは、折り曲げてショーツと身体との間に配置して使用するものである。特許文献２には、カバーと吸収体を分け、吸収体を取り外し可能とした布製生理用ナプキンが開示されている。この布製生理用ナプキンは更に、ショーツのクロッチに取り付けて固定するための羽根を左右に備えている。このタイプの布製生理用ナプキンは現在でも使用されており、その一例を図２に示す。図２の布製生理用ナプキン２０は、ナプキンホルダ２１とそれに取り付ける中パッド２４、２５から成る。ナプキンホルダ２１の前後にはポケット２２ａ、２２ｂが設けられており、更に、左右にはショーツに取り付けるための羽根２１ａ、２１ｂが設けられている。この前後のポケット２２ａ、２２ｂに、図２(b)又は(c)に示すような中パッド２４、２５を装着し、羽根２１ａ、２１ｂを図２(d)に示すように外側に回してショーツのクロッチを挟んでホックで留めて使用する。図２(b)の中パッド２４は両端を両ポケット２２ａ、２２ｂに差し込んで使用され、図２(c)の中パッド２５は、図２(b)の中パッド２４のほぼ中央に巻き付けて、付加的に使用される。
【０００４】
【特許文献１】特開2001-353182号
【特許文献２】実公昭48-54697号
【発明の開示】
【発明が解決しようとする課題】
【０００５】
布製生理用ナプキンは、前記の通り、環境問題に熱心な人々や使い捨てナプキンでかぶれ等の問題がある人々に支持されているが、未だその使用者は少数派であり、生産量も少ないため、大量生産される使い捨てナプキンのような豊富なラインナップが揃っておらず、あらゆる人々の要望に的確に応えるまでには至っていない。
【０００６】
そのような課題の一つに、パッドの位置ずれの問題がある。図２に示した従来の布製生理用ナプキンでは、ナプキンホルダ２１の方は羽根２１ａ、２１ｂによりショーツに固定されるものの、中パッド２４の方は前後の両端でのみポケット２２ａ、２２ｂに差し込まれているだけであるため、中央部分で左右に動きやすい。吸収量を増すために追加の中パッド２５を取り付けた場合には、更に中パッド２４が動きやすくなるとともに、追加中パッド２５自体が中パッド２４から外れてしまうという危険性もある。
【０００７】
本発明が解決しようとする課題は、従来の布製生理用ナプキンの特長を生かしつつ、位置ずれや経血漏れを防止した布製生理用ナプキンを提供することである。
【課題を解決するための手段】
【０００８】
上記課題を解決するために成された本発明に係る布製生理用ナプキンは、
ショーツに取り付けるための羽根を左右に有する外布、及び、前後両端で外布に固定された内布から成る二重構造を有するナプキンホルダと、
該内布に巻き付けるための羽根を左右に有する中パッドと、
からなることを特徴とする。
【０００９】
ナプキンホルダの羽根は、外布と一体として、外布から張り出すように形成してもよいし、外布とは別体として、何らかの手段で外布に固定するようにしてもよい。また、中パッドについても、その羽根は縫い付け等により中パッドに固定しておいてもよいし、中パッドに対して取り付け・取り外し可能としてもよい。取り付け・取り外し可能とする場合、例えば、羽根は扁平な細長いパッド状にしておき、中パッドにはその細長いパッド状の羽根を差し込むためのストラップを設けておくという方法を取ることができる。
【００１０】
中パッドは上記羽根によりほぼ中央においてナプキンホルダに固定されるが、その固定を更に確実にするために、ナプキンホルダの前後にストラップやポケットを設け、それにより前後端においても更に中パッドを固定するようにしておくことが望ましい。
【００１１】
ナプキンホルダは、内布の前後長を外布とほぼ同じとしてほぼ完全な二重構造としてもよいし、内布を外布よりも短くして、外布の中央部分においてのみ二重構造となるようにしてもよい。本発明においては、ナプキンホルダの二重構造は中パッドをその羽根によりナプキンホルダに固定するためのものであるため、後者のような（内布の方が短い）構造であっても十分その作用を果たす。
【００１２】
なお、内布と外布をほぼ同じ長さとして前後端で両者を固定する場合、内布は外布よりも僅かに（約4%程度）短くしておくことが望ましい。これにより、内布側を内側にしてナプキンホルダをショーツ内に装着する際、ナプキンホルダ全体がショーツに即した立体形状となり、内布にシワが寄ることが防止される。これもナプキンの位置ずれ防止に寄与する。
【００１３】
なお、ナプキンホルダの外布と内布の間に防水シートを介装してもよい。或いは、外布自体を防水シートで作成したり、外布を二重構造としてそのいずれかを防水シートとしてもよい。
【発明の効果】
【００１４】
本発明に係る布製生理用ナプキンでは、中パッドがそのほぼ中央においてナプキンホルダに固定されるため、使用中の中パッドのズレが防止される。これは、経血の漏れを防止すると共に、ズレによる使用者の不快感を防止する効果を奏する。
【００１５】
また、ナプキンホルダが二重構造となっているため、中パッドに加え、ナプキンホルダの内布と外布の間に更にパッドを挿入しておくことにより、吸収量を増加させることができる。
【００１６】
更に、ナプキンホルダの外面にデザイン性の高い布を用いることにより、使用者がそれを楽しむことができ、生理期間中の不快さが軽減される。
【実施例】
【００１７】
本発明の第１実施例の布製生理用ナプキンを図３及び図４により説明する。図３(a)はナプキンホルダの内側から見た平面図、(b)は外側から見た平面図、(c)は中パッドの外側から見た平面図、(d)は内側から見た平面図である。本実施例の布製生理用ナプキンのナプキンホルダ３１では、左右に張り出した羽根３２ａ、３２ｂを有する外布３２の前後端において内布３３が縫合固定されている。ナプキンホルダ３１の前後端にはそれぞれ、後述の中パッド３５を差し込むためのストラップ３４ａ、３４ｂが設けられている。本実施例の布製生理用ナプキンのナプキンホルダ３１では、外布３２と内布３３は両端で縫合されているだけであり、その他の部分では両者３２、３３は離れているため、両者３２、３３の間に追加のパッドを介装することができる。また、図６(a)に示すように、内布は外布に対して僅かに（4%程度）短くなるように外布に固定されているため、ナプキンホルダ３１をショーツ内で使用する際には、同図(b)に示すように、内布３３にシワが寄ることなく、スムーズな装着を行うことができる。
【００１８】
羽根３２ａ、３２ｂにはそれぞれホックが設けられている。片側の羽根３２ａにおいてホックが２個設けられているのは、ショーツのクロッチの幅に応じて適宜閉じ幅を変えられるようにするためである。
【００１９】
中パッド３５は図３(c)に示すように、本体３６と羽根３７から成る。本体３６の中央両側部にはそれぞれストラップ３６ａ、３６ｂが設けられており、羽根３７はそこに差し込む。
【００２０】
本実施例の布製生理用ナプキンの使用方法は次の通りである。羽根３７を付けた中パッド３５を、図４(a)に示すように、羽根側をナプキンホルダ側に向けてナプキンホルダ３１に重ね、中パッド３５の羽根３７をナプキンホルダ３１の内布３３と外布３２の間に差し込んで、中パッド３５をナプキンホルダ３１に固定する。そして、図４(b)に示すように、中パッド３５の前後端をナプキンホルダ３１の前後端のストラップ３４ａ、３４ｂに挿入し、ナプキンを完成する。
【００２１】
次に、このナプキンをショーツ内に入れ、ナプキンホルダ３１の羽根３２ａ、３２ｂを、ショーツのクロッチを包み込むようにして外側に回して閉じ、ホックで固定する。前述のように、ナプキンホルダの内布が外布よりも僅かに短くなっているため、ナプキン全体がショーツの形に適合した立体的形状となる（図６(b)）。これにより、本実施例に係る布製生理用ナプキンは、使用者の体にぴったり適合した快適な装着を行うことができる。また、ナプキン、特にその中央部分がショーツからずれることがなく、更に、中パッドがナプキンに対してずれることがないため、長時間使用してもナプキン全体としてズレがなく、経血の漏れも防止される。
【００２２】
なお、吸収量を増加するために、図５に示すように、ナプキンホルダ３１の外布と内布の間に追加のパッド３８（これは、中パッド本体３６と同じものでもよい）を装入してもよい。
【００２３】
図７に、本発明の第２実施例である布製生理用ナプキン４０を示す。このナプキン４０は、基本的構造は上記第１実施例と同じであるが、夜等の長時間装着用として、ナプキンホルダ４１及び中パッド４２を前後に長くし、特に後部（臀部）４１ａ，４２ａ側の面積を広くして吸収量を増加するとともに経血漏れを防止したものである。上記同様、吸収量を更に増加するために、ナプキンホルダ４１の内布と外布の間に更にパッドを装入してもよい。
【００２４】
本発明の第３実施例である布製生理用ナプキン５０を図８に示す。本実施例の布製生理用ナプキン５０のナプキンホルダ５１は、外布５２に対して内布５３が小さいのが特徴である。内布５３は外布５２の略中央部に配置され、両端において外布５２に縫合されている。また、図８(b)に示すように、本実施例の布製生理用ナプキン５０では外布５２の羽根５２ａが外布５２とは別体となっており、外布５２の外側に固定された２本のストラップ５２ｂ、５２ｃにより外布５２に取り付けられる。外布用の羽根５２ａにはショーツのクロッチに取り付けるためのホックが設けられている。羽根５２ａの一方の端においてホックが２個設けられているのは、第１実施例および第２実施例と同様、ショーツのクロッチの幅に応じて適宜閉じ幅を変えられるようにするためである。中パッド５５の構造は、その形状を除き、ほぼ第１実施例のものと同様である。前記実施例と同様、中パッド５５の羽根５６をナプキンホルダ５０の外布５２と内布５３の間に差し込み、中パッド５５本体の両端をそれぞれストラップ５４ａ、５４ｂに差し込むことにより、中パッド５５をナプキンホルダ５１に固定する。
【図面の簡単な説明】
【００２５】
【図１】従来の単純な形態の布製生理用ナプキンの平面図。
【図２】ショーツのクロッチに巻き付けるための羽根を備えた従来の布製生理用ナプキンのナプキンホルダの内側平面図(a)、中パッドの平面図(b)、追加パッドの展開平面図(c)、取り付け状態のナプキンホルダの外側平面図(d)。
【図３】本発明の第１実施例の布製生理用ナプキンの、ナプキンホルダの内側から見た平面図(a)、外側から見た平面図(b)、中パッドの内側から見た平面図(c)、外側から見た平面図(d)。
【図４】第１実施例の布製生理用ナプキンにおいて、中パッドをナプキンホルダに取り付ける様子を示す内側から見た平面図(a)、及び取り付けた後の内側から見た平面図(b)
【図５】第１実施例の布製生理用ナプキンにおいて、中パッドをナプキンホルダの外布と内布の間に取り付ける状態を示す平面図(a)、及び取り付けた後の状態を表す平面図(b)。
【図６】内布を外布に対して僅かに短くした場合の効果を説明するための模式図。
【図７】本発明の第２実施例である布製生理用ナプキンのナプキンホルダの内側平面図(a)、中パッドの外側平面図(b)。
【図８】本発明の第３実施例である布製生理用ナプキンのナプキンホルダの内側平面図(a)、外側平面図(b)、中パッドの内側平面図(b)、中パッドをナプキンホルダに取り付ける方法を示す模式図(d)。
【符号の説明】
【００２６】
３０…布製生理用ナプキン
３１…ナプキンホルダ
３２…外布
３２ａ、３２ｂ…羽根
３３…内布
３４ａ、３４ｂ…パッド保持用ストラップ
３５…中パッド
３６…中パッド本体
３６ａ、３６ｂ…パッド羽根保持用ストラップ
３７…パッド羽根
３８…追加パッド
４０…布製生理用ナプキン
４１…ナプキンホルダ
４２…中パッド
５０…
５１…ナプキンホルダ
５２…外布
５２ａ…羽根
５２ｂ、５２ｃ…羽根保持用ストラップ
５３…内布
５４ａ、５４ｂ…パッド保持用ストラップ
５５…中パッド
５６…羽根
【図１】
2006068136.tif 000003
【図２】
2006068136.tif 000004
【図３】
2006068136.tif 000005
【図４】
2006068136.tif 000006
【図５】
2006068136.tif 000007
【図６】
2006068136.tif 000008
【図７】
2006068136.tif 000009
【図８】
2006068136.tif 000010